(57)【要約】【課題】  高低差のある地盤の境界に形成されている段差部を強固して、この境界に構築する基礎地盤を安定したものとすると共に、作業が簡単でしかも白蟻の発生も生じない基礎又は擁壁の施工法を提供すること。 【解決手段】  高低差のある地盤の境界に形成されている段差部３の下方に位置する低地盤１上に下から順に土のう６を段積みしてその最上面を高地盤２の一部とすると共に、前記低地盤１上に設置する深基礎型枠８の下方部を前記段積みした土のう６の側面と直交し且つその一端部を当接させるように配置し、次に前記段積みした土のう６最上面に位置する高地盤２上に浅基礎型枠９を配置して前記深基礎型枠８の上方部と連結し、これら連結された深基礎型枠８と浅基礎型枠９内にコンクリートを打設して深基礎４と浅基礎５を段差部３を跨いで一体的に形成することを特徴とする基礎又は擁壁の施工法。【選択図】      図１
2005133402.tif 000002
【特許請求の範囲】
【請求項１】
高低差のある地盤の傾斜方向に沿って深さの異なる基礎又は擁壁を一体的に構築する基礎又は擁壁の施工法において、
前記高低差のある地盤の境界に形成されている段差部の下方に位置する低地盤上に下から順に土のうを段積みしてその最上面を高地盤の一部とすると共に、前記低地盤上に設置する深基礎型枠の下方部を前記段積みした土のうの側面と直交し且つその一端部を当接させるように配置し、次に前記段積みした土のう最上面に位置する高地盤上に浅基礎型枠を配置して前記深基礎型枠の上方部と連結し、これら連結された深基礎型枠と浅基礎型枠内にコンクリートを打設して深基礎と浅基礎を段差部を跨いで一体的に形成することを特徴とする基礎又は擁壁の施工法。
【請求項２】
前記請求項１の基礎又は擁壁の施工法において、前記段積みした土のうと段差部の間に空隙が存在する場合には、この空隙を土等で埋めて押し固めてから、深基礎型枠、浅基礎型枠を配置することを特徴とする基礎又は擁壁の施工法。
【発明の詳細な説明】
【技術分野】
【０００１】
この発明は、土のうを用いて高低差のある地盤での構造物の基礎や擁壁を一体的に構築する基礎又は擁壁の施工法に関する。
【背景技術】
【０００２】
従来のこの種の基礎や擁壁の施工法としては、図１０に示すような施工法がある。この従来施工法は、低地盤１と高地盤２の境界に段差部３を形成し、この段差部３を跨いで深基礎４と浅基礎５を一体的に構築する施工法において、前記段差部３にコンクリートパネルなどの土留板２０を垂直に立てて高地盤２の土崩れを防止すると共に、この土留板２０を低地盤１上に敷設する深基礎型枠８の一端下方部分の型枠を兼ねるものとし、更に、深基礎型枠８の一端上方部は高地盤２上に敷設する浅基礎５の浅基礎型枠９端部と連結して、これら深基礎型枠８と浅基礎型枠９内にコンクリートを打設することによって深基礎４と浅基礎５を一体的に施工する方法である。図において、１ａ、２ａはそれぞれ深基礎４、浅基礎５の下に置かれた地業である。
【０００３】
この従来法においては、前記段差部３を形成するために高低差のある地盤を掘削等して地ならし後、土留板２０を垂直に立てて仮設土留めし、その後、低地盤１や高地盤２にそれぞれ深基礎型枠８や浅基礎型枠９を配置して段差部３を跨いで基礎や擁壁を構築している。
【発明の開示】
【発明が解決しようとする課題】
【０００４】
しかしながら、上記従来技術においては、次のような問題点がある。段差部３に土留板２０を垂直に立てて仮設土留めとしているが、この土留板２０の自立強度が十分でないために、地盤を掘削等して形成された段差部３と土留板２０の間に形成される空隙７に投入する埋め戻し土Ｇの転圧が確実に行うことができず、高地盤２の段差部３近辺の地盤強度が十分でなく、そのためにその上方に構築する浅基礎５が不安定なものとなる問題点がある。
【０００５】
又、上記の土留板２０を用いずに段差部３である緩い地盤の斜面にそのまま深基礎４の一端側を当接させ且つその緩い地盤の斜面上に基礎を構築することもあり、この場合には、高地盤２の上方に構築された浅基礎５のベース地盤が時間の経過と共に空洞状態となり、構造的に不安定な状態となる問題点がある。又、この場合に於ては、段差部３上方に形成された基礎のコンクリート壁面にせん断ひび割れがしばしば発生する問題点がある。更に又、前記土留板２０を使用する場合には、支え棒２０ａなどの木枠の加工が多くて作業が複雑となる問題点がある。又、これら木枠や木製の土留板２０が施工後において抜き取れなく埋殺する場合には、白蟻が発生するという問題がある。
【課題を解決するための手段】
【０００６】
この発明は上記事情に鑑みてなされたものであって、その手段とするところは、請求項１においては、高低差のある地盤の傾斜方向に沿って深さの異なる基礎又は擁壁を一体的に構築する基礎又は擁壁の施工法において、前記高低差のある地盤の境界に形成されている段差部の下方に位置する低地盤上に下から順に土のうを段積みしてその最上面を高地盤の一部とすると共に、前記低地盤上に設置する深基礎型枠の下方部を前記段積みした土のうの側面と直交し且つその一端部を当接させるように配置し、次に前記段積みした土のう最上面に位置する高地盤上に浅基礎型枠を配置して前記深基礎型枠の上方部と連結し、これら連結された深基礎型枠と浅基礎型枠内にコンクリートを打設して深基礎と浅基礎を段差部を跨いで一体的に形成することを特徴とする。
【０００７】
又、請求項２においては、前記請求項１の基礎又は擁壁の施工法において、前記段積みした土のうと段差部の間に空隙が存在する場合には、この空隙を土等で埋めて押し固めてから、深基礎型枠、浅基礎型枠を配置することを特徴とする。
【発明の効果】
【０００８】
前記発明によれば、高低差のある地盤に形成されている段差部の下方に位置する低地盤上に下から順に土のうを段積みすることで、土のうが土留板の役目を果たすと共にその自重によって段差部や埋め戻し土の崩れを防止することができるので、従来の施工法のように土留板を使用しなくてもよくなる。その結果、土留板よりも設置が簡単で施工が楽になると共に、横方向の土圧に対する耐力が大きいため、段差部と土のうの間に形成される空隙に投入される埋め戻し土の転圧時に土圧が掛っても、十分に耐え得ることができる。これによって、高地盤の段差部近辺の地盤強度の向上を図れるので、結果として基礎の安定化を図れる利点がある。
【０００９】
更に、段差部が傾斜面となっているような場合であっても、その傾斜面に土のうを段積みすることで傾斜面の補強を計ることができるので、この上方に基礎を構築しても沈下したりすることがなく、基礎の長期安定化を図ることが可能となる。更に又、土留板の使用時のように木枠や支え棒などを使うことがないので、その分さらに作業が楽なるのに加えて、地盤に埋め込まれることもないので、白蟻の発生の心配がない利点がある。
【発明を実施するための最良の形態】
【００１０】
この発明の実施例について、以下図面を参照しつつ説明する。この発明の第１実施例を示す図１において、元の地盤は全体的に右下りの緩やかな傾斜地であるが、これを所定面積を有する平らな低地盤１と高地盤２に整地してその境界に段差部３を造成してなるもので、本実施例の施工法はこの段差部３を跨いで建造物を建設するために上面が水平である直線状の基礎を構築する施工法である。従って、低地盤１では深基礎４が構築され高地盤２では浅基礎５が構築される。前記造成された段差部３は、比較的に地盤が軟弱であるために垂直には形成できず通常は図示のように傾斜面としており、この傾斜面の下方位置にある低地盤１上に下から順に土のう６を段差部３に沿って段積みする。
【００１１】
この土のう６は、合成樹脂、不織物などの材質からなる糸や紺を織って形成された開口部を有する袋に土や砕石などを詰めてから開口部を紺で縛って封をしたものであるが、これに限定されることなく、変形可能な袋状のものに土類や砕石類等の埋め物を入れたものであれば良い。
【００１２】
図１に示す第１実施例では、土のう６を２つ横に並べて垂直方向に６段積層して、段差部３である傾斜面との間に空隙７を形成した例を示している。しかし、この発明の第２実施例を示す図２のように、段差部３の傾斜面にその一端側が当接して載るように階段状に段積みした状態で傾斜させて、傾斜面と土のう６の間に空隙７が生じないように施工してもよい。しかし、図１のように、傾斜面と土のう６の間に空隙７が存在する場合には、この空隙７に埋め戻し土Ｇを埋め戻して塞ぐことになるが、この時、土のう６を一段積む毎にその土のう６の上面と等しくなるように埋め戻し土Ｇを傾斜面と土のう６の一端側の間の空隙７に投入して転圧し押し固めて確固な地盤を順次形成してゆく。この転圧は土のう６により押し固め時にとくに発生する土圧を吸収できることから堅固に行うことができる。
【００１３】
このように、高地盤２の表面と段積みした土のう６の表面がほぼ等しい高さとなるまで順次土のう６を段積みし、次には低地盤１上に深基礎４を施工する。この深基礎４の長手方向の段差部３側端部は、その下方側が段積みした土のう６の地盤側の垂直な側面６ａにコンクリート漏れを防ぐために密着する必要があることから、深基礎型枠８の端部をこの側面６ａに当接させる。この段積みした土のう６の他端側の側面６ａは、図２に示す第２実施例のように土のう６が段差部３の傾斜面にその一端面が密着するように階段状に段積みされている場合には傾斜し、図１に示す第１実施例のように傾斜面と空隙７をも設けて垂直に段積みされている場合には垂直となる。第２実施例のように他端側が傾斜している側面６ａの場合には、深基礎型枠８の端部もこれに応じて傾斜した形状とすることにより、良好に密着を形成できる。
【００１４】
深基礎型枠８は両側方に出張った深基礎ベース部４ａ用の深ベース型枠８ａと深立上り部４ｂ用の深立上り型枠８ｂからなるが、この深立上り型枠８の下方部と深ベース型枠８ａの端部が第１実施例では垂直な側面６ａに第２実施例では傾斜した側面６ａに当接して、これら型枠８ａ、８ｂの中に打設されるコンクリートがその端部の開口部から漏れ出ないようにしている。又、この深基礎型枠８の深立上り型枠８ｂの上方は、高地盤２の表面を越えて高地盤２の上の構築する浅基礎型枠９の上方と等しくなる位置にまで立ち上げる。そして、高地盤２の上方に配置した浅基礎ベース部５ａ用の浅ベース型枠９ａと浅立上り部５ｂ用の浅立上り型枠９ｂからなる浅基礎型枠９の開口端部とこの深基礎型枠８の上方開口端部とを連結する。これによって、深基礎型枠８と浅基礎型枠９が段差部３にて連結され内部空間も連通することとなる。そして、これら深基礎型枠８及び浅基礎型枠９内にコンクリートを打設し、このコンクリートが硬化後これら型枠８，９を順次外すことにより、上面が水平な一体連結された深基礎４及び浅基礎５が段差部３を跨いで構築される。段差部３における土崩れは段積みした土のう６によって防いでいるので、深基礎４や浅基礎５の周囲に埋め戻し用の土等をこのまま埋め込んで置くことができ、又、木などを使用しないことから土のう６に白蟻が群がることもない。以上のようにして、構築された深基礎４及び浅基礎５の上方には建造物が建造される。
【００１５】
以上の第１及び第２の実施例においては、段差部３を跨いで上面が水平である基礎を構築する例について述べたが、傾斜面に道路を構築する場合のような擁壁であってもよい。これを第３実施例として、図９を参照しながら説明する。この実施例においては、傾斜面が長い距離を有しているので、形成すべき段差部３は多数個あって、それぞれの段差部３を境界にして形成される。低地盤１又は高地盤２のほぼ水平な上面で且つ擁壁１０が構築される位置には土のう６が段積みされている。従って、第１実施例においてみられた土のう６と段差部３の間に存在した空隙７は存在しないところが異なるが、その他の構築の方法は同じであるので説明を省略する。このようにして構築された擁壁１０には、通常、道路が隣接して建設されるが、図９ではこの建設される道路の路面１１を点線で示した。この実施例の場合においては、擁壁１０の下方全域に亘って土のう６が敷設されることになるので、地盤が強固に安定し、従って擁壁１０も安定する利点がある。
尚、この擁壁１０の施工に際しても、前記第１又は第２実施例と同様な施工法に基づいて行ってもよい。
【産業上の利用可能性】
【００１６】
この発明の施工法は、傾斜地等に形成された段差部においてこの段差部を跨いで建造物を構築するための基礎や擁壁を構築する場合に有用される。特に、わが国のように平野部が少なく山地が多い地形の国土においては、利用されることが多いものと期待される。
【図面の簡単な説明】
【００１７】
【図１】この発明の第１実施例の一部断面説明図
【図２】この発明の第２実施例の断面説明図
【図３】図１のＡ−Ａ断面図
【図４】図１のＢ−Ｂ断面図
【図５】図１のＣ−Ｃ断面図
【図６】図１の断面説明図から型枠を外した一部断面斜視図
【図７】図６のＣ−Ｃ断面図
【図８】図６のＤ−Ｄ断面図
【図９】この発明の第３実施例の一部断面説明図
【図１０】従来例の一部断面説明図
【符号の説明】
【００１８】
１    低地盤
２    高地盤
３    段差部
４    深基礎
５    浅基礎
６    土のう
７    空隙
８    深基礎型枠
９    浅基礎型枠
１０  擁壁
【図１】
2005133402.tif 000003
【図２】
2005133402.tif 000004
【図３】
2005133402.tif 000005
【図４】
2005133402.tif 000006
【図５】
2005133402.tif 000007
【図６】
2005133402.tif 000008
【図７】
2005133402.tif 000009
【図８】
2005133402.tif 000010
【図９】
2005133402.tif 000011
【図１０】
2005133402.tif 000012